(57)【特許請求の範囲】
【請求項１】
情報を記憶するＩＣ回路部とこのＩＣ回路部に接続されたタグ側アンテナとをそれぞれ有する複数の無線タグ回路素子と無線通信により情報の送受信を行い、それら複数の無線タグ回路素子のタグ識別情報を取得するための無線通信手段と、
この無線通信手段で取得した前記複数の無線タグ回路素子の前記タグ識別情報に基づき、対応する複数の読み取り対象物の第１画像を取得する画像取得手段と、
この画像取得手段で取得した複数の第１画像を合成処理する画像合成手段と、
前記複数の無線タグ回路素子にそれぞれ対応する複数の前記読み取り対象物を用いて所定の処理を施された撮影対象物の第２画像を撮影するための撮像手段と、
前記撮像手段による撮影時に前記撮影対象物を載置するための載置手段と
を有し、
前記画像合成手段は、
合成処理後の合成処理物において、前記画像取得手段で取得した複数の第１画像が一方側領域に配置され、前記撮像手段で撮影した第２画像が他方側領域に配置されるように、領域を区分して、前記複数の第１画像と前記第２画像との前記合成処理を行い、
前記載置手段は、
前記一方側領域、又は前記他方側領域、若しくはそれら一方側領域と他方側領域との境界位置を前記画像合成手段が認識するための識別子を備える
ことを特徴とする画像処理装置。
【請求項２】
請求項１記載の画像処理装置において、
前記画像合成手段は、
合成処理後の合成処理物において、前記複数の第１画像を、前記載置手段上における前記複数の無線タグ回路素子の配置態様に対応して配置するように、前記合成処理を行うことを特徴とする画像処理装置。
【請求項３】
請求項２記載の画像処理装置において、
前記無線通信手段は、
前記複数の無線タグ回路素子の配置態様を検出可能に、前記載置手段に設けられていることを特徴とする画像処理装置。
【請求項４】
請求項１乃至３のいずれか１項記載の画像処理装置において、
前記画像合成手段は、
合成処理後の合成処理物において、前記複数の第１画像のうち特定の画像が、他の画像に比べ、所定の位置に優先して配置されるように若しくは大きさを変更して配置されるように、前記合成処理を行うことを特徴とする画像処理装置。
【請求項５】
情報を記憶するＩＣ回路部とこのＩＣ回路部に接続されたタグ側アンテナとをそれぞれ有する複数の無線タグ回路素子と無線通信により情報の送受信を行い、それら複数の無線タグ回路素子のタグ識別情報を取得するための無線通信手段と、
この無線通信手段で取得した前記複数の無線タグ回路素子の前記タグ識別情報に基づき、対応する複数の読み取り対象物の第１画像を取得する画像取得手段と、
この画像取得手段で取得した複数の第１画像を合成処理する画像合成手段と、
前記無線通信手段で取得した前記無線タグ回路素子のタグ識別情報に基づき、当該無線タグ回路素子に対応する前記読み取り対象物及びそれに係る前記第１画像の使用有効期限内であるかどうかを判定する判定手段と
を有することを特徴とする画像処理装置。
【請求項６】
情報を記憶するＩＣ回路部とこのＩＣ回路部に接続されたタグ側アンテナとをそれぞれ有する複数の無線タグ回路素子と無線通信により情報の送受信を行い、それら複数の無線タグ回路素子のタグ識別情報を取得するための無線通信手段と、
この無線通信手段で取得した前記複数の無線タグ回路素子の前記タグ識別情報に基づき、対応する複数の読み取り対象物の第１画像を取得する画像取得手段と、
この画像取得手段で取得した複数の第１画像を合成処理する画像合成手段と
を有し、
前記無線通信手段は、
前記画像取得手段で前記第１画像を取得した前記無線タグ回路素子にアクセスし、前記タグ識別情報を消去するための消去情報信号を生成する信号生成手段を備えることを特徴とする画像処理装置。
【発明の詳細な説明】
【技術分野】
【０００１】
本発明は、画像に所定の合成処理を行って合成処理物を作成する画像処理装置に関する。
【背景技術】
【０００２】
例えば、有線又は無線のネットワーク上にデータベースを配置し、このネットワークに接続された端末を操作して上記データベースより所望の画像データを検索、抽出して端末で取得するシステムは、既に広く知られている。このようなシステムを料理メニューの作成等に応用した従来技術として、例えば特許文献１に記載のものがある。
【０００３】
この従来技術では、データベースから端末側のデータ処理装置に標準メニューを与え、端末側のデータ処理装置に指示画面を表示して希望する料理メニューに選択変更し、その選択変更された料理メニューをその画像とともにデータベース側の印刷装置でメニュー様式に印刷するようになっている。
【０００４】
具体的には、端末側からデータベースにアクセスし、１つのメニュー（献立）に含まれる複数の食材について、まず各食材を構成する料理種類（例えば、「煮物」、「焼物」、「揚物」等）を選択し、これによって当該選択した料理種類に該当する複数の料理構成（例えば「マスの塩焼き」等）を画像とともに表示させる。そして、このようにして各食材ごとに料理構成を選択し、すべての食材の選択が終了すると、それら各食材の画像を備えたメニューが印刷されるようになっている。
【０００５】
【特許文献１】特開平１１−３１８３５２号公報
【発明の開示】
【発明が解決しようとする課題】
【０００６】
上記従来技術では、食材ひとつひとつの画像を備えた所望のメニュー（献立）を画像の合成処理物（印刷物）として提供することはできる。しかしながら、そのためには、端末側における前述したようなデータベースへのアクセスに基づく選択操作を行い、画像をひとつひとつ収集しなければならない。このような面倒な操作が必要となる結果、操作者にとって労力負担が大きく、複数の画像の合成処理物を容易かつ手軽に作成できなかった。
【０００７】
本発明の目的は、面倒な操作を行うことなく、複数の画像の合成処理物を容易かつ手軽に作成することができる画像処理装置を提供することにある。
【課題を解決するための手段】
【０００８】
上記目的を達成するために、第１の発明は、情報を記憶するＩＣ回路部とこのＩＣ回路部に接続されたタグ側アンテナとをそれぞれ有する複数の無線タグ回路素子と無線通信により情報の送受信を行い、それら複数の無線タグ回路素子のタグ識別情報を取得するための無線通信手段と、この無線通信手段で取得した前記複数の無線タグ回路素子の前記タグ識別情報に基づき、対応する複数の読み取り対象物の第１画像を取得する画像取得手段と、この画像取得手段で取得した複数の第１画像を合成処理する画像合成手段と、前記複数の無線タグ回路素子にそれぞれ対応する複数の前記読み取り対象物を用いて所定の処理を施された撮影対象物の第２画像を撮影するための撮像手段と、前記撮像手段による撮影時に前記撮影対象物を載置するための載置手段とを有し、前記画像合成手段は、合成処理後の合成処理物において、前記画像取得手段で取得した複数の第１画像が一方側領域に配置され、前記撮像手段で撮影した第２画像が他方側領域に配置されるように、領域を区分して、前記複数の第１画像と前記第２画像との前記合成処理を行い、前記載置手段は、前記一方側領域、又は前記他方側領域、若しくはそれら一方側領域と他方側領域との境界位置を前記画像合成手段が認識するための識別子を備えることを特徴とする。
【０００９】
本願第１発明においては、複数の読み取り対象物の画像を合成して印刷物又は表示物等の合成処理物を作ろうとする場合には、当該複数の読み取り対象物それぞれに対応する複数の無線タグ回路素子に対し無線通信手段で情報送受信を行うことで各無線タグ回路素子のタグ識別情報が取得され、さらにそれらタグ識別情報をもとに画像取得手段で各読み取り対象物の第１画像が取得され、それら取得された複数の第１画像は画像合成手段で合成処理される。
【００１０】
これにより、操作者は、合成したい複数の画像に対応した無線タグ回路素子の読み取り処理（＝タグ識別情報の取得処理）を行うだけで自動的に当該複数の画像の合成処理を行えるので、各画像をひとつひとつ撮影したり収集して切り貼り操作したり等の面倒な操作を行わなくても、複数の画像の合成処理物を容易かつ手軽に作成することができる。
【００１２】
また、画像取得手段で取得した複数の第１画像に、さらに撮像手段で撮影した撮影対象物の第２画像を加えて画像合成手段で合成処理を行うことができる。したがって、例えば撮影対象物としての調理完成品（又は組立完成品等）の完成後に当該調理完成品（又は組立完成品等）の第２画像を撮影する一方、当該調理完成品の調理時（又は組立完成品の組立時等）に使用した各食材（又は組立部品）を読み取り対象物としてそれぞれに対応する無線タグ回路素子のタグ識別情報を無線通信手段で取得し、各タグ識別情報に基づき画像取得手段が自動的に当該食材（又は組立部品）の第１画像を取得することで、調理完成品（又は組立完成品）の画像と食材の画像とを合成した合成処理物を容易かつ手軽に作成することができる。
【００１４】
また、撮影時に載置手段に撮影対象物を載置することで、安定的に撮影を行うことができる。
【００１６】
そして、一方側に複数の第１画像が配置され、他方側に第２画像が配置されることで、視覚的にわかりやすく明確な合成処理物を作成することができる。
【００１８】
そしてさらに、識別子を画像合成手段で認識させることにより、複数の第１画像を配置する一方側領域や第２画像を配置する他方側領域の位置、大きさ、境界等を容易かつ確実に設定することができる。
【００１９】
第２発明は、上記第１発明において、前記画像合成手段は、合成処理後の合成処理物において、前記複数の第１画像を、前記載置手段上における前記複数の無線タグ回路素子の配置態様に対応して配置するように、前記合成処理を行うことを特徴とする。
【００２０】
これにより、合成処理物上において、第１画像を、載置手段上で無線タグ回路素子を並べたとおりに配置させることができるので、操作者のイメージ通りに合成された合成処理物を容易に作成でき、利便性を向上することができる。
【００２１】
第３発明は、上記第２発明において、前記無線通信手段は、前記複数の無線タグ回路素子の配置態様を検出可能に、前記載置手段に設けられていることを特徴とする。
【００２２】
載置手段に設けた無線通信手段で複数の無線タグ回路素子の配置態様を検出することで、その検出した無線タグ回路素子の配置態様どおりに合成処理物上において第１画像を配置させ、操作者のイメージ通りに合成された合成処理物を容易に作成することができる。
【００２３】
第４発明は、上記第１乃至第３発明のいずれかにおいて、前記画像合成手段は、合成処理後の合成処理物において、前記複数の第１画像のうち特定の画像が、他の画像に比べ、所定の位置に優先して配置されるように若しくは大きさを変更して配置されるように、前記合成処理を行うことを特徴とする。
【００２４】
これにより、操作者のニーズや用途に応じて、特定の読み取り対象物の第１画像を他のものに比べて目立たせるようにすることができ、利便性をさらに向上できる。
【００２５】
上記目的を達成するために、第５発明は、情報を記憶するＩＣ回路部とこのＩＣ回路部に接続されたタグ側アンテナとをそれぞれ有する複数の無線タグ回路素子と無線通信により情報の送受信を行い、それら複数の無線タグ回路素子のタグ識別情報を取得するための無線通信手段と、この無線通信手段で取得した前記複数の無線タグ回路素子の前記タグ識別情報に基づき、対応する複数の読み取り対象物の第１画像を取得する画像取得手段と、この画像取得手段で取得した複数の第１画像を合成処理する画像合成手段と、前記無線通信手段で取得した前記無線タグ回路素子のタグ識別情報に基づき、当該無線タグ回路素子に対応する前記読み取り対象物及びそれに係る前記第１画像の使用有効期限内であるかどうかを判定する判定手段とを有することを特徴とする。
【００２６】
これにより、使用期限の切れた読み取り対象物とそれに係る第１画像（例えば賞味期限の切れた食材や耐久年数を超えた組立部品とそれらに係る画像）が合成処理物に誤って利用されてしまうのを防止でき、合成処理物の情報の適正化及び信頼性の向上を図ることができる。
【００２７】
上記目的を達成するために、第６発明は、情報を記憶するＩＣ回路部とこのＩＣ回路部に接続されたタグ側アンテナとをそれぞれ有する複数の無線タグ回路素子と無線通信により情報の送受信を行い、それら複数の無線タグ回路素子のタグ識別情報を取得するための無線通信手段と、この無線通信手段で取得した前記複数の無線タグ回路素子の前記タグ識別情報に基づき、対応する複数の読み取り対象物の第１画像を取得する画像取得手段と、この画像取得手段で取得した複数の第１画像を合成処理する画像合成手段とを有し、前記無線通信手段は、前記画像取得手段で前記第１画像を取得した前記無線タグ回路素子にアクセスし、前記タグ識別情報を消去するための消去情報信号を生成する信号生成手段を備えることを特徴とする。
【００２８】
これにより、第１画像取得後のタグ識別情報の不適当な使い回しを防止することができ、合成処理物の情報の適正化及び信頼性の向上を図ることができる。また、情報消去後の無線タグ回路素子については、新たなタグ識別情報を書き込み新規な無線タグ回路素子として再利用することができる。
【発明の効果】
【００２９】
本発明によれば、面倒な操作を行うことなく、複数の画像の合成処理物を容易かつ手軽に作成することができる。
【発明を実施するための最良の形態】
【００３０】
以下、本発明の一実施の形態を図面を参照しつつ説明する。本実施形態では、例えば飲食店におけるチラシ等を作成するために本発明を適用した場合を例に取り、本実施形態の画像処理装置１では、複数の食材の画像（第１画像）を合成し、さらにそれら食材から調理（所定の処理）してできた「すきやき鍋」の完成品の画像（第２画像）も合わせて合成するものである。
【００３１】
またこのとき、各食材には、商品識別用の無線タグＴが添付された状態で販売されており、所定の運営主体（例えば食品管理機関等）において管理運用されているデータベース１０（後述の図２参照）に上記無線タグＴの全てのタグ識別情報（以下、タグＩＤという）に対応して各種食材の産地情報やその後の流通情報などの情報（＝トレーサビリティ；以下適宜単に「材料情報」と総称する）や画像情報等が格納され、購入者はインターネットなどの通信ネットワークＮＷ（後述の図２参照）を介してそれら情報が取得できる環境が整備されていることを前提とする。
【００３２】
図１は、本実施形態の画像処理装置１の全体概略構造を表す斜視図である。図１において、本実施形態の画像処理装置１は、例えば一般的なカメラと同じ機能を備えるとともに後述の画像合成機能等を併せて備える制御撮像部２と、この制御撮像部２にケーブル４を介して情報の送受信が可能に接続されたアンテナトレイユニット（載置手段）３とを有している。
【００３３】
アンテナトレイユニット３は、概略的に１枚の長方形の平板形状に形成された載置台であり、その上面のほぼ半分（図中Ａ−Ａ′線より上側）は完成品（この例では調理済みのすきやき(詳細図示省略)が入ったすきやき鍋５）を載置する完成品載置領域６として区分され、他方のほぼ半分（図中Ａ−Ａ′線より下側）は無線タグＴを載置するタグ載置領域７として区分されている。なお、完成品載置領域６は省略してタグ載置領域７のみでアンテナトレイユニット３を構成し、完成品は別の場所に配置するようにしてもよい。
【００３４】
タグ載置領域７は、図中の破線で示すように、複数（この例では３行７列の配置で２１個）のタグ検出領域７ａに区分されており、後述するように各タグ検出領域７ａにおいてそれぞれアンテナトレイユニット３の下面に無線タグＴと無線通信により情報の送受信が可能なアンテナ８が設置されている（アンテナ８については後に詳述する）。なお、後述のように完成品載置領域６の完成品に対し制御撮像部２で撮像を行う際に、完成品載置領域６とタグ載置領域７とを明確に区別して認識する（タグ載置領域７の画像が撮像内に写りこんだとしても認識しないようにする等）ために、その境界位置（又はタグ載置領域７の所定箇所、若しくは完成品載置領域６）に所定の識別子（たとえば後述の図１２の識別マーク４１１ａ〜ｆと同様のもの）を設け、これをＣＰＵ２１で認識させることにより、それぞれの領域６，７の位置、大きさ、境界等を容易かつ確実に設定できるようにしてもよい。この場合、これによって、表示物や印刷物の画像合成物において複数の食材の画像を配置する材料表示領域２４ｂ（後述）や完成品の画像を配置する完成品表示領域２４ａ（後述）の位置、大きさ、境界等を容易かつ確実に設定することもできる。
【００３５】
また、このタグ載置領域７には、すきやき鍋（撮影対象物）５の調理前の材料であり、かつ画像処理における画像合成の対象である各食材（読み取り対象物）に添付されていた商品識別用の無線タグＴがそれぞれ任意の配置で載置される。図に示す例では、各無線タグＴは電波を透過する材料で形成された載置プレート９の上に安定的に載置されてタグ載置領域７上に配置されている。なお、軽量である各無線タグＴが動くことなく静止させて載置できる場合は、この載置プレート９は必ずしも必要ではない。
【００３６】
図２は、本実施形態の画像処理装置１の概略を表すシステム構成図である。この図２において、画像処理装置１は、前述したように制御撮像部２とアンテナトレイユニット３を有しており、さらに制御撮像部２はＬＡＮ及びインターネットなどで構成する（有線又は無線の）通信ネットワークＮＷを介して食材に関する各種情報が格納保持された上記データベース１０と情報信号の授受が可能に接続されている。
【００３７】
制御撮像部２は、ＣＰＵ（中央演算装置）２１と、例えばＲＡＭやＲＯＭ等からなるメモリ２２と、操作者からの指示や情報が入力される操作部２３と、合成画像やメッセージを表示する表示部２４と、上記通信ネットワークＮＷを介してデータベース１０との制御信号及び情報信号の授受の制御を行うネットワーク通信制御部２５と、アンテナ８を介し無線タグＴとの無線通信の制御を行う高周波回路２６と、この例で完成品であるすきやき鍋５を撮影する撮像部（撮像手段）２７とを備えている。なお、データベース１０は、ハードディスク装置などの大容量記憶装置で構成されるものであるが、必要とする情報量が少なく、記憶容量が小さくてよい場合には、制御撮像部２の内部に備えてもよい（データベース１０の記憶する各種情報についても後に詳述する）。
【００３８】
この制御撮像部２のＣＰＵ２１は、ＲＡＭの一時記憶機能を利用しつつＲＯＭに予め記憶されたプログラムに従って信号処理を行い、それによって操作部２３からの撮影処理や画像処理の実行命令の入力を受け付け、アンテナ８を介した無線通信により無線タグＴのタグＩＤの検出処理を行い、その検出結果に基づいて対応する材料情報を上記通信ネットワークＮＷを介してデータベース１０から取得し、所定の画像処理を行ってその処理結果を表示部２４に表示するようになっている。
【００３９】
操作部２３は、各種の操作ボタンとともに通常のカメラと同じシャッターボタン２３ａ（前述の図１参照）を有しており、操作者はこのシャッターボタン２３ａを押すことで完成品の撮影と画像処理を開始できるようになっている（なお開始処理開始手段は別途設けてもよい）。
【００４０】
表示部２４は、例えば液晶パネルなどからなり、画像処理により合成されたデジタル画像を表示できるよう表示画面の比較的大きいものが設置されている。
【００４１】
撮像部２７は、例えばＣＣＤ又はＣＭＯＳなどの撮像センサとレンズで構成されており、完成品の画像をデジタル画像信号に変換（撮影）するものである。
【００４２】
アンテナトレイユニット３は、電波を透過する材料からなる平板形状のトレイボード３１と複数（この例では２１個）の上記アンテナ８とを有している。各アンテナ８は、トレイボード３１の下面において上述したような各タグ検出領域７ａに対応する配置で設置されており、トレイボード３１及び載置プレート９を挟んでその上方に配置された無線タグＴと無線通信できるものである。なお好ましくは、隣り合うアンテナ８どうしで無線電波が干渉することがないよう、例えば指向性を強く持たせたり通信出力を小さくしたりすることで検出領域が明確に設定されている。
【００４３】
無線タグＴは、各食材の購入時に添付されていたものを取り外したものであり、それぞれ、少なくとも識別情報としてのタグＩＤを含む各種情報を記憶するＩＣ回路部１５０とこれに接続するアンテナ１５１とで構成する無線タグ回路素子Ｔoを備え、この無線タグ回路素子Ｔoがラベル４１に備えられて構成されている（無線タグＴの機能的構成については後に詳述する）。
【００４４】
図３は、上記制御撮像部２におけるＣＰＵ２１、高周波回路２６及びアンテナ８の詳細構成を表す機能ブロック図である。
【００４５】
図３において、制御撮像部２の高周波回路２６は上記アンテナ８を介し上記無線タグ回路素子ＴoのＩＣ回路部１５０の情報(タグＩＤを含む無線タグ情報)へアクセスするものであり、また制御撮像部２のＣＰＵ２１は無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、制御撮像部２全体の動作を制御するものである。
【００４６】
高周波回路２６は、アンテナ８を介し無線タグ回路素子Ｔoに対して信号を送信する送信部２１２と、アンテナ８により受信された無線タグ回路素子Ｔoからの反射波を入力する受信部２１３と、送受分離器２１４と、アンテナ切換スイッチ部３１４とから構成される。
【００４７】
アンテナ切換スイッチ部３１４は、例えば周知の高周波用ＦＥＴやダイオードを用いたスイッチ回路であり、ＣＰＵ２１からの選択信号により複数のアンテナ８のいずれか一つを送受分離器２１４に接続するものである。そして、このときにＣＰＵ２１は、選択信号と受信された信号とを関連付けて記憶するにより、どの位置のアンテナ８でどのタグＩＤを検出したかを把握できるようになっている。
【００４８】
送信部２１２は、ＣＰＵ２１からの制御信号に応じ、無線タグ回路素子ＴoのＩＣ回路部１５０の無線タグ情報にアクセスする(読み取り／書き込みを行う)ための搬送波を発生させる水晶振動子２１５Ａ、ＰＬＬ（Phase Locked Loop）２１５Ｂ、及びＶＣＯ（Voltage Controlled Oscillator）２１５Ｃと、上記ＣＰＵ２１から供給される信号に基づいて上記発生させられた搬送波を変調（この例ではＣＰＵ２１からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ２１からの「ＴＸ＿ＰＷＲ」信号によって増幅率を決定される増幅）する可変送信アンプ２１７とを備えている。そして、上記発生される搬送波は、例えばＵＨＦ帯又はマイクロ波帯の周波数を用いており、上記可変送信アンプ２１７の出力は、送受分離器２１４を介してアンテナスイッチ回路３１４を経てアンテナ８に伝達されて無線タグ回路素子ＴoのＩＣ回路部１５０に供給される。なお、無線タグ情報は上記のように変調した信号に限られず、単なる搬送波のみの場合もある。
【００４９】
受信部２１３は、アンテナ８で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ８で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ２１に入力されて処理される。
【００５０】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ２１に入力されるようになっている。このようにして、本実施形態の制御撮像部２では、Ｉ−Ｑ直交復調によって無線タグ回路素子Ｔoからの反射波の復調が行われる。
【００５１】
図４は、食材に添付されていた無線タグＴに共通して備えられた無線タグ回路素子Ｔoの機能的構成の一例を表すブロック図である。
【００５２】
図４において、無線タグ回路素子Ｔoは、アンテナ８を介し、制御撮像部２とＵＨＦ帯等の高周波を用いて非接触で信号の送受信を行うアンテナ１５１（タグ側アンテナ）と、このアンテナ１５１に接続されたＩＣ回路部１５０とを有している。
【００５３】
ＩＣ回路部１５０は、アンテナ１５１により受信された搬送波を整流する整流部１５２と、この整流部１５２により整流された搬送波のエネルギを蓄積し駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００５４】
変復調部１５６は、アンテナ１５１により受信された上記アンテナ８からの通信信号の復調を行うと共に、上記制御部１５７からの返信信号に基づき、アンテナ８より受信された搬送波を変調し、アンテナ１５１より反射波として再送信する。
【００５５】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５６】
クロック抽出部１５４は受信した信号からクロック成分を抽出して制御部１５７にクロックを抽出するものであり、受信した信号のクロック成分の速度に対応したクロックを制御部１５７に供給する。
【００５７】
以上において、本実施形態の最も大きな特徴は、複数の食材にそれぞれ添付されていた無線タグＴのタグＩＤを各アンテナ８を介して検出し、対応する食材の画像をそれぞれデータベース１０から取得して合成処理し、さらにそれら複数の食材を用いて調理したすきやき鍋５の画像を制御撮像部２で撮影して上記複数の食材の画像に併せて合成することにある。以下、その詳細を順を追って説明する。
【００５８】
まず、本実施形態の例においてデータベース１０に格納保持される各テーブルについて説明する。
【００５９】
図５は、各種の食材のうちの一例として牛肉に関する情報とタグＩＤとの対応を管理する牛肉テーブルを概念的に表す図である。
【００６０】
図５において、この牛肉テーブルは、上記データベース１０に格納保持される情報であり、食材の牛肉に添付される無線タグＴのＩＣ回路部１５０に記憶されているタグＩＤ（図中では１６進数で表示）と、制御撮像部２の表示部に表示させる品名と、文字列からなる上記材料情報と、日時で表記される賞味期限（使用有効期限）と、適宜の重要度指標でランク付け表記（この例では「Ａ」「Ｂ」「Ｃ」「Ｄ」・・・で「Ａ」が最も重要度が高い）される食材の重要度と、対応する画像の画像ファイル名とが、予めそれぞれ対応付けられた相関情報の形で格納されている。なお、この相関情報の構成は、他の種類の食材のテーブルについても同様である。
【００６１】
図６は、データベース１０に格納されている食材の画像ファイルの格納態様の一例を概念的に表す図である。
【００６２】
図６において、この例では、画像ファイルのファイル名は各食材の種類別（牛肉、蒟蒻、ネギなどの種類別）に先頭のアルファベットが異なっており、図示の例においては、各ファイル名の先頭の１文字が、牛肉の場合は「Ｍ」、蒟蒻の場合は「Ｋ」、ネギの場合は「Ｎ」、卵の場合は「Ｔ」、醤油の場合は「Ｓ」となっている。さらに、各種類ごとで商品別（図５で示すようにタグＩＤ別に分類される商品の内容）にファイル名の下３桁の数字が割り当てられている。これにより、図示の例では、牛肉「Ｍ０２４」蒟蒻「Ｋ００８」ネギ「Ｎ０１２」卵「Ｔ０２３」醤油「Ｓ００５」が割り当てられている。
【００６３】
そして、このような構成により、図５に示したような食材テーブルと併せて利用することで、食材の種類と商品の内容に関連するタグＩＤと一意的に対応してその画像ファイルが検索・取得できるようになっている。
【００６４】
図７は、前述したような画像処理を行うために、制御撮像部２のＣＰＵ２１が行う制御手順を表すフローチャートである。
【００６５】
図７において、例えば制御撮像部２の操作部２３において画像処理開始の指示入力（例えばボタン操作）されると、このフローが開始される。まずステップＳ５において、シャッターボタン２３ａの押し操作がなされたか否かを判定し、シャッターボタン２３ａが操作されて判定が満たされるまで同じ判定を繰り返す。シャッターボタン２３ａが押し操作された場合、判定が満たされ、次のステップＳ１０へ移る。
【００６６】
ステップＳ１０では、撮像部２７により完成品のすきやき鍋５の画像を撮影する。このとき、通常の一眼レフ式カメラと同様に、操作者がファインダーなどで確認しながら撮像部２７の撮像領域にすきやき鍋５が収められていることで、すきやき鍋５の像がレンズを通して撮像センサにより検出され、デジタル画像情報として撮影される。
【００６７】
次にステップＳ１５へ移り、全てのアンテナ８から無線タグＴのタグＩＤを検出する。具体的には、特に図示しないが、高周波回路６を介しそれぞれのアンテナ８から「Scroll All ID」信号を送信させ、その後にこの「Scroll All ID」信号に対応するリプライ信号をそれぞれ受信させる。そしてこのときにアンテナ切換スイッチ部３１４に出力した選択信号と関連付けて（図３参照）リプライ信号を受信したアンテナ８を記憶することにより、アンテナトレイユニット３のタグ載置領域７において無線タグＴが載置されたタグ検出領域７ａの位置を検知できるとともに（図１参照）、それぞれ受信したリプライ信号に含まれるタグＩＤを検出することができる。
【００６８】
次にステップＳ２０へ移り、上記ステップＳ１５で検出したタグＩＤに基づいてネットワークＮＷを介しデータベース１０にアクセスし、各タグＩＤに対応する食材の各種情報と画像ファイルとをデータベース１０（図中ではＤＢと省略）から検索、抽出して取得する。
【００６９】
次のステップＳ２５では、高周波回路６を介し全てのアンテナ８から無線タグＴのＩＤ情報を消去（抹消）する「Kill」信号（情報消去信号、情報抹消信号）を送信させ、アンテナトレイユニット３上に載置されている全ての無線タグＴにアクセスしてそれらに記憶されているタグＩＤを（例えば再書き込み不能に）消去（抹消）させる。このようにすることで、各食材の画像ファイルを取得した後にタグＩＤの不適当な使い回しを防止することができ、このあとに表示が完成する合成画像の情報の適正化及び信頼性の向上を図ることができる。但し、情報消去（抹消）後の無線タグ回路素子Ｔoについては、新たなタグＩＤを書き込み新規な無線タグ回路素子Ｔoとして再利用できるようにしてもよい。なお、「Kill」信号を送信させるのは、タグＩＤを検出したアンテナ８だけでもよい。また、このような使い回し防止等の効果を特に必要としない場合は、このステップＳ２５は省略してもよい。
【００７０】
次にステップＳ３０へ移り、上記ステップＳ１０での撮影結果に基づき所定の表示制御信号を生成し、制御撮像部２の表示部２４における所定の完成品表示領域（他方側領域）に上記ステップＳ１０で撮影した完成品のすきやき鍋５の画像を表示させ、次のステップＳ３５へ移る。
【００７１】
ステップＳ３５では、上記ステップＳ２０での情報・画像の取得結果に基づき所定の表示制御信号を生成し、制御撮像部２の表示部２４における所定の材料表示領域（一方側領域）に上記ステップＳ２０で取得した画像ファイルによる各食材の画像を表示する。このとき、表示部２４の材料表示領域における各画像の配置は、上記ステップＳ１５でタグＩＤを検出したアンテナ８の配置（タグ載置領域７において無線タグＴが載置されたタグ検出領域７ａの配置態様）に対応するよう配置する。これにより、このあとに表示が完成される合成画像において、各食材の画像をアンテナトレイユニット３上で無線タグＴを並べたとおりに配置させることができるので、操作者のイメージ通りに合成された合成画像を容易に作成でき、利便性を向上することができる。
【００７２】
また、各画像を表示させる大きさは、対応する各食材の重要度（図５参照）に応じて重要度の高いものを特に大きく表示させ、また重要度の低いものを特に小さく表示させる。これにより、操作者のニーズや用途に応じて、特定の食材の画像を他のものに比べて目立たせるようにすることができ、利便性をさらに向上できる。なお、重要度の高いものを最も目立つ中央位置に優先的に配置するよう位置交換するようにしてもよい。またこのような重要度の差異に基づく優先配置を特に行わなくてもよい場合はこの部分の手順を省略してもよい。そして、次のステップＳ４０へ移る。
【００７３】
ステップＳ４０では、上記ステップＳ２０での情報・画像の取得結果に基づき所定の表示制御信号を生成し、各食材の画像の下に上記ステップＳ２０で取得した品名（名称）と材料情報による説明を表示させる。以上のステップＳ３０からステップＳ４０までの手順により本実施形態の画像の合成処理が行われ、表示部２４に完成した合成画像（合成処理物）が表示される。なお、特に図示しないが、通信ネットワークＮＷなどを介してプリンタを制御撮像部２に接続し、上記完成した合成画像を印刷紙面（合成処理物）として出力してもよい。
【００７４】
なお、上記ステップＳ３０、ステップＳ３５、ステップＳ４０と３つの手順に分けて表示制御信号を生成して表示部２４へ出力するのではなく、上記内容の合成画像を表示するための表示制御信号（合成表示制御信号）をまとめて生成し、これを表示部２４へ出力するようにしてもよい。
【００７５】
次にステップＳ４５へ移り、上記ステップＳ２０で取得した各食材の情報に含まれている賞味期限（使用有効期限）のうちいずれか一つでもその時点で期限超過しているか否かを判定する。賞味期限が超過している食材がない場合、判定が満たされず、そのままこのフローを終了する。一方、各食材のうち一つでも賞味期限が超過しているものがある場合、判定は満たされ、ステップＳ５０へ移る。
【００７６】
ステップＳ５０では、賞味期限が超過していると判定された食材の品名とその賞味期限を操作者に対して目立つように表示し、その食材及び完成品の使用を停止するよう報知する。これにより、賞味期限の切れた食材とそれを使用したすきやき鍋５（及びそれらに係る画像）を誤って使用されてしまうのを防止でき、合成画像の情報の適正化及び信頼性の向上を図ることができる。そしてこのフローを終了する。
【００７７】
なお、これらステップＳ４５とステップＳ５０による賞味期限のチェック・報知の手順は、上記ステップＳ２５で各食材の情報を取得した後にすぐに行ってもよく、その後の画像合成処理において賞味期限の切れた食材の画像を表示させないようにしてもよい。また、このような賞味期限の管理を特に必要としない場合は、ステップＳ４５及びステップＳ５０を省略しても良い。
【００７８】
図８は、上記画像合成処理の制御手順により合成された合成画像の一例を表示部２４に表した図である。図示するように表示部２４の上方部分が完成品表示領域２４ａとなって完成品のすきやき鍋５の画像が表示されており、また表示部２４の下方部分が材料表示領域２４ｂとなって各食材の画像がアンテナトレイユニット３上での無線タグＴの載置位置に対応する配置で表示されている。また、各食材の画像が、それぞれの重要度に応じた大きさで表示されている（この例では重要度の高い牛肉が比較的大きく表示され、重要度の低い蒟蒻、ネギが比較的小さく表示されている）。
【００７９】
以上において、高周波回路２６及びアンテナ８が、複数の無線タグ回路素子Ｔoと無線通信により情報の送受信を行い、それら複数の無線タグ回路素子ＴoのタグＩＤを取得するための無線通信手段を構成する。
【００８０】
また、図７におけるステップＳ２０が、高周波回路２６及びアンテナ８で取得した複数の無線タグ回路素子ＴoのタグＩＤに基づき、対応する複数の食材の画像を取得する画像取得手段として機能する。
【００８１】
また、図７におけるステップＳ３５が、ステップＳ２０で取得した複数の食材の画像を合成処理する画像合成手段として機能する。
【００８２】
また、図７におけるステップＳ４５が、高周波回路２６及びアンテナ８で取得した無線タグ回路素子ＴoのタグＩＤに基づき、当該無線タグ回路素子Ｔoに対応する食材及びそれに係る画像の賞味期限内（使用有効期限内）であるかどうかを判定する判定手段として機能する。
【００８３】
また、高周波回路２６及び図７におけるステップＳ２５が、ステップＳ２０で食材の画像を取得した無線タグ回路素子Ｔoにアクセスし、タグＩＤを消去（抹消）するための「Kill」信号を生成する信号生成手段として機能する。
【００８４】
以上説明したように、本実施形態の画像処理装置１においては、複数の食材（上記の例では肉、ネギ、蒟蒻等）の画像を合成して表示物（又は印刷物）の合成処理物を作ろうとする場合に、当該複数の食材それぞれに対応する複数の無線タグ回路素子Ｔoに対し高周波回路２６及びアンテナ８で情報送受信を行うことで各無線タグ回路素子ＴoのタグＩＤが取得され、さらにそれらタグＩＤをもとに図７におけるステップＳ２０で各食材の画像が取得され、それら取得された複数の画像は図７におけるステップＳ３５で合成処理される。
【００８５】
すなわち、合成したい複数の画像に対応した無線タグ回路素子Ｔoの読み取り処理（＝図７のステップＳ１５によるタグＩＤの取得処理）を行うだけで自動的に当該複数の画像の合成処理を行えるので、操作者が各画像をひとつひとつ撮影したり収集して切り貼り操作したり等の面倒な操作を行わなくても、複数の画像の合成処理物を容易かつ手軽に作成することができる。
【００８６】
また、この実施形態では特に、図７におけるステップＳ２０で取得した複数の食材の画像に、さらに制御撮像部２の撮像部２７で撮影した完成品（上記の例ではすきやき鍋５）の画像を加えて図７におけるステップＳ３５で合成処理を行うことができる。すなわち、例えば撮影対象物としての調理完成品（すきやき鍋５）の完成後に当該調理完成品の画像を撮影する（図７のステップＳ５、ステップＳ１０）一方、当該調理完成品の調理時に使用した各食材（上記の例では肉、ネギ、蒟蒻等）を読み取り対象物としてそれぞれに対応する無線タグ回路素子ＴoのタグＩＤを高周波回路２６及びアンテナ８で取得し、各タグＩＤに基づき図７におけるステップＳ２０が自動的に当該食材の画像を取得することで、調理完成品の画像と食材の画像とを合成した合成処理物を容易かつ手軽に作成することができる。
【００８７】
また、この実施形態では特に、撮像部２７による撮影時にすきやき鍋５を載置するためのアンテナトレイユニット３（特にその完成品載置領域６）を有していることにより、撮影時にアンテナトレイユニット３にすきやき鍋５を載置し、安定的に撮影を行うことができる。
【００８８】
また、この実施形態では特に、合成処理後の表示物（又は印刷物）において、複数の食材の画像が材料表示領域２４ｂに配置され、すきやき鍋５の画像が完成品表示領域２４ａに配置されるように、領域を区分して合成処理を行うことにより、視覚的にわかりやすく明確な合成処理物を作成することができる。
【００８９】
なお、上記実施形態では、画像合成処理において、アンテナトレイユニット３上で検出した各無線タグＴの配置態様に対応するよう（又は重要度に応じて）、合成画像における食材の画像の配置を決定していたが、本発明はこれに限らず、予め操作者が何らかの入力手段により配置パターンを制御撮像部２に入力しておき、その配置パターンに従って合成画像における各食材の画像の配置を決定してもよい。この場合には、アンテナ８はアンテナトレイユニット３のタグ載置領域７全体を検出範囲とする大型のものを一つだけ備えればよく、また図３の高周波回路２６にはアンテナ切換スイッチ部３１４を設けずにアンテナ８を送受分離器２１４に直接接続させれば足りる。そして図７のフローにおけるステップＳ１５で、ＣＰＵ２１はアンテナ切換スイッチ部３１４に対する選択信号は出力せずに検出したタグＩＤの内容だけを記憶し、ステップＳ３５で上記予め入力されている配置パターンに従って各食材の画像を表示すればよい。また、アンテナトレイユニット３に複数のアンテナ８を設けず１つのアンテナのみを設け、このアンテナに対し例えばフェイズドアレイアンテナ制御やアダプティブアレイアンテナ制御等の適宜の指向性制御を実行する（この場合この１つのアンテナは例えば複数のアンテナ素子を備え、各アンテナ素子への出力制御・位相制御を行う）ことにより、各無線タグＴの配置位置を検出するようにしてもよい。この場合も同様の効果を得る。
【００９０】
また、検出したタグＩＤに対応する食材の画像がデータベース１０に格納されておらず取得できなかった場合には、同じ種類で近い商品内容の画像をデータベース１０から検索して代替的に使用してもよいし、又は食材購入後に操作者が予め自ら撮影してメモリ２２等に記憶させておいた画像（そのタグＩＤが添付されていた調理前の食材の画像）を代替的に使用してもよい。もしくは、どうしても適切な代替画像が見つからない場合は、その食材の画像だけ無表示で画像合成することも可能である。
【００９１】
また、図示しないキーボードなどの文字入力装置を介して各種材料情報などを入力できるようすることで、データベース１０が格納保持する各テーブルの書き換え、またはテーブルの新規作成、ひいてはデータベース１０の新規作成ができるようにしてもよい。
【００９２】
なお、本発明は、上記実施形態に限られるものではなく、その趣旨及び技術思想を逸脱しない範囲で種々の変形が可能である。以下、そのような変形例を順を追って説明する。
【００９３】
（１）工業製品を適用対象とした場合
上記実施形態では、食材（食品材料）を読み取り対象とし、またそれらに所定の処理（調理）を施して完成した完成品（調理完成品）を撮影対象とした場合を例に挙げて説明したが、本発明はこれに限られない。すなわち例えば、工業製品の組立部品を読み取り対象とし、それらに所定の組立処理を施した組立完成品を撮影対象としてもよい。本変形例では、上記組み立て完成品として、印字済みラベルを作成するラベル作成装置に装着されるテープカートリッジを例にとり、上記組み立て部品として、上記テープカートリッジに備えられた、印字ラベルの材料となる基材テープを巻回した基材テープロール、これに貼り合わされるカバーフィルムを巻回したカバーフィルムロール、印字のためのインクリボンロール等を例に取った場合について説明する。
【００９４】
本変形例のハードウェア構成は、上記実施形態のものと全く同一であり、データベース１０に格納保持されるテーブルと画像ファイルの内容が異なるだけである。
【００９５】
図９は、本変形例で使用する部品テーブルの一例として基材テープロールに関する情報とタグＩＤとの対応を管理する基材テープロールテーブルを概念的に表す図である。図９において、基材テープロールテーブルは、組立前の基材テープロールに添付される無線タグＴのタグＩＤ、品名、部品情報、使用期限、重要度及び対応する画像の画像ファイル名が、予めそれぞれ対応付けられた相関情報の形で格納されている。この相関情報の構成は、他の種類の組立部品のテーブルについても同様である。
【００９６】
図１０はデータベース１０に格納されている組立部品の画像ファイルの格納態様を概念的に表す図である。この図１０に示すように、画像ファイルのファイル名は各組立部品の種類別に先頭のアルファベットが異なっており、図示の例では、各ファイル名の先頭の１文字が、テープカートリッジの上ケースの場合は「Ｕ」、下ケースの場合は「Ｌ」、基材テープロールの場合は「Ｔ」、カバーフィルムロールの場合は「Ｃ」、インクリボンロールの場合は「Ｉ」となっている。さらに、各種類ごとで仕様別（図９で示すようにタグＩＤ別に分類される仕様の内容）にファイル名の下３桁の数字が割り当てられている。これにより、図示の例では、上ケース「Ｕ０２３」下ケース「Ｌ００７」基材テープロール「Ｔ０１０」カバーフィルムロール「Ｃ０２３」インクリボンロール「Ｉ００５」が割り当てられている。
【００９７】
そして、このような構成により、図９に示したような組立部品テーブルと併せて利用することで、組立部品の種類と仕様に関連するタグＩＤと一意的に対応してその画像ファイルが検索・取得できるようになっている。
【００９８】
そして以上の各テーブルを用いて、図７に示すフローチャートにより画像処理を行うことで上記実施形態と同様の画像処理を行うことができる。なお、本変形例における組立部品が上記実施形態における食材（材料）に相当し、同じようにテープカートリッジ（組立完成品）がすきやき鍋５（調理完成品）に相当し、組立が調理に相当し、使用期限が賞味期限に相当する。
【００９９】
図１１は、本変形例の画像合成処理により合成された合成画像の一例を表示部２４に表した図である。図示するように表示部２４の上方部分が完成品表示領域２４ａとなって完成品のテープカートリッジの画像が表示されており、また表示部２４の下方部分が部品表示領域２４ｃとなって各組立部品の画像がアンテナトレイユニット３上での無線タグＴの載置位置に対応する配置（本変形例では不図示）で表示されている。また、各組立部品の画像が、それぞれの重要度に応じた大きさで表示されている（この例では重要度の高い基材テープとインクリボンテープが比較的大きく表示されている）。
【０１００】
以上のように構成した本変形例においても、上記実施形態と同様の効果を得ることができる。
【０１０１】
（２）光学的マークを用いて撮像により各食材等の画像データを取得する場合
上記実施形態では、既に食材等に関する各種情報が格納保持されたデータベース１０より各食材の画像データを取得していたが、本発明はこれに限られるものではない。すなわち、調理前の各食材をタグ載置領域７に載置してそれを制御撮像部２で撮影することで画像を取得するようにしてもよい。この場合、例えばアンテナトレイユニット３のタグ載置領域７の所定の位置に光学的に識別可能なマークを表記させ（以下、マーキングという）、制御撮像部２が各食材を上記マークを一緒に撮影することで各食材の配置態様を検出する。
【０１０２】
図１２は、本変形例の画像処理装置の全体概略構造を表す斜視図である。なお、上記実施形態と同等の構成部分については同じ符号を付し、適宜説明を省略する。この図１２において、本変形例の画像処理装置４０１は図１に示す上記実施形態の画像処理装置１と概略的にはほぼ同じ構成であり、各タグ検出領域７ａにおいてそれぞれアンテナトレイユニット４０３の下面に無線タグＴと無線通信により情報の送受信が可能なアンテナ８が設置されている（前述の図２等を参照）。その一方、アンテナトレイユニット４０３のタグ載置領域７において、四隅の各コーナー部分と、対向する２辺の各中央位置にはそれぞれ光学的に識別可能な形状の識別マーク（識別子）４１１ａ，４１１ｂ，４１１ｃ，４１１ｄ，４１１ｅ，４１１ｆがマーキングされている。また、これら識別マーク４１１ａ〜４１１ｆはそれぞれ個別の識別が可能であるだけでなく、アンテナトレイユニット３上においてそのマーキングされている方向も認識できる形状となっている。
【０１０３】
そして、制御撮像部４０２のメモリ２２には各識別マークの形状や大きさが記憶されており、ＣＰＵ２１は撮像部２７で撮影した画像中にこれら識別マーク４１１ａ〜４１１ｆの存在を認識した際には、公知のパターン認識の手法によって、アンテナトレイユニット３に対する制御撮像部４０２の相対的な位置、傾き、撮像部２７の撮影方向を検出できるようになっている。これにより操作者は、制御撮像部４０２で各食材と識別マークとを一緒に撮影することで、撮影した各食材のタグ載置領域７における配置態様を検出することができる。図１２に示す例では、タグ載置領域７の左上部（識別マーク４１１ａの近傍）に肉を配置し、左中部（識別マーク４１１ｂの近傍）に蒟蒻を配置し、左下部（識別マーク４１１ｃの近傍）にネギを配置し、右上部（識別マーク４１１ｄの近傍）に卵を配置し、右中部（識別マーク４１１ｅの近傍）に醤油を配置して撮影を行った例を示している。
【０１０４】
そして、このように撮影を行った後、例えば操作部２３からの入力操作により、識別マーク４１１ａの近傍にて取得された画像ａは「肉」であり、識別マーク４１１ｂの近傍にて取得された画像ｂは「蒟蒻」であり、識別マーク４１１ｃの近傍にて取得された画像ｃは「ネギ」であり、識別マーク４１１ｄの近傍にて取得された画像ｄは「卵」であり、識別マーク４１１ｅの近傍にて取得された画像ｅは「醤油」であると特定してやることで、各画像に対して対応する識別情報（この例では食材名称）を関連付けた形でデータベース１０に格納することができる。
【０１０５】
その後、上記実施形態と同様、調理完成品（すきやき鍋５）の完成後、当該完成品の撮影を制御撮像部４０２で行うとともに、各食材に対応する無線タグＴのタグＩＤをアンテナ８により検出する。なお、上記実施形態と同様の複数の（上記の例では２１個の）アンテナではなく、前述した変形例と同様、アンテナトレイユニット４０３のタグ載置領域７（図中Ａ−Ａ′線（境界位置）より下方の領域）の全体を検出可能領域とする大型の１つのアンテナを用いてもよい。この場合、アンテナは例えば複数のアンテナ素子を備えており、ＣＰＵ２１によって各アンテナ素子への出力制御・位相制御を行うことで、フェイズドアレイアンテナ制御やアダプティブアレイアンテナ制御等の適宜の指向性制御を実行し、これによって無線タグＴの配置位置を検出する。また、高周波回路についても図３に示す実施形態の高周波回路２６よりアンテナ切換スイッチ部３１４を省略し、アンテナを送受分離器２１４に直接接続させれば足りる。
【０１０６】
そしてこのとき、図５を一例として用いて前述したように、データベース１０には各タグＩＤに対応する食材の各種データが関連付けられて格納保持されており、各タグＩＤごとに当該無線タグＴの食材の識別情報（この例では食材名称すなわち図５の「品名」）が関連付けられている。そして、例えば操作部２３の適宜の操作（あるいは操作不要で自動でもよい）によって、上記各タグＩＤごとの識別情報と、前述したようにして予め光学マークを用いて制御撮像部４０２で既に撮影し識別情報（食材名称）と関連付けられた各画像データを用いて、各タグＩＤとこれに対応する画像データを関連付けることができる。
【０１０７】
図１３は、本変形例における制御撮像部４０２のＣＰＵ２１が行う制御手順を表すフローチャートである。上記実施形態における図７と同等の手順には同一の符号を付し、説明を省略する。
【０１０８】
図１３において、例えば制御撮像部４０２の操作部２３において画像処理開始の指示入力（例えばボタン操作）されると、このフローが開始される。まずステップＳ１０５において、図７のステップＳ５と同様、シャッターボタン２３ａの押し操作がなされたか否かを判定し、シャッターボタン２３ａが操作されて判定が満たされるまで同じ判定を繰り返す。シャッターボタン２３ａが押し操作された場合、判定が満たされ、次のステップＳ１１０へ移る。
【０１０９】
ステップＳ１１０では、図７のステップＳ１０と同様、制御撮像部４０２の撮像部２７により各食材の画像を識別マーク４１１ａ〜ｆとともに撮影する。撮像部２７の撮像領域に各食材及び識別マーク４１１ａ〜ｆが収められていることで、それらの像がレンズを通して撮像センサにより検出され、デジタル画像情報として撮影される。
【０１１０】
その後、ステップＳ１１５において、前述したように、上記ステップＳ１１０で撮影した撮像を公知のパターン認識に基づく処理を行うことで、各識別マーク４１１ａ〜ｆとの位置関係に基づき各食材の画像を認識、取得する（前述の例では、タグ載置領域７の左上部：肉の画像、左中部：蒟蒻の画像、左下部：ネギの画像、右上部：卵の画像、右中部：醤油の画像）。
【０１１１】
そして、ステップＳ１２０に移り、例えば操作部２３を介し、各食材に対応した識別情報（この例では食材名称）が入力されたか否かを判定し、入力されるまで同じ判定を繰り返す。上記の例では、例えば、タグ載置領域７の左上部の画像に対しては「肉」、左中部の画像に対しては「蒟蒻」、左下部の画像に対しては「ネギ」、右上部の画像に対しては「卵」、右中部の画像に対しては「醤油」という食材名称が（テキスト文字等により）入力される。このようにして食材名称の操作入力がされた場合、判定が満たされ、次のステップＳ１２５へ移る。
【０１１２】
ステップＳ１２５では、上記ステップＳ１１５とステップＳ１２０とに基づき、各画像とこれに対応する食材名称とを関連づけた形で、データベース１０に格納する。
【０１１３】
このステップＳ１２５が終了したら、各食材より添付の無線タグＴを取り外し、各無線タグＴをタグ載置領域７上に配置したまま、各食材を用いてすき焼き鍋５を調理し、できあがったすき焼き鍋５を完成品載置領域６に載置して（図１２では完成品載置領域６についてはこの状態を表している）、上記実施形態と同様の前述のステップＳ５へ移る。以降の処理は図７を用いて説明した上記実施形態と同様であるので、説明を省略する。
【０１１４】
以上のように構成した本変形例においても、上記実施形態と同様の効果を得る。また予め一般的に流通しデータベース１０に格納された食材の画像データでなく、調理前に自ら制御撮像部４０２で撮影した画像データを用いることができるので、よりリアルな画像を作成することができる。なお上記工業製品の例に対しても同様に適用できることは言うまでもない。
【０１１５】
なお、以上で用いた「Scroll All ID」信号、「Kill」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１１６】
また、以上既に述べた以外にも、上記実施形態や各変形例による手法を適宜組み合わせて利用しても良い。
【０１１７】
その他、一々例示はしないが、本発明は、その趣旨を逸脱しない範囲内において、種々の変更が加えられて実施されるものである。
【図面の簡単な説明】
【０１１８】
【図１】本発明の一実施形態の画像処理装置の全体概略構造を表す斜視図である。
【図２】画像処理装置の概略を表すシステム構成図である。
【図３】制御撮像部におけるＣＰＵ、高周波回路及びアンテナの詳細構成を表す機能ブロック図である。
【図４】食材に添付されていた無線タグに共通して備えられた無線タグ回路素子の機能的構成の一例を表すブロック図である。
【図５】牛肉に関する情報とタグＩＤとの対応を管理する牛肉テーブルを概念的に表す図である。
【図６】データベースに格納されている食材の画像ファイルの格納態様を概念的に表す図である。
【図７】画像処理を行うために制御撮像部のＣＰＵが行う制御手順を表すフローチャートである。
【図８】画像合成処理により合成された合成画像の一例を表示部に表した図である。
【図９】工業製品に適用する変形例において、基材テープロールに関する情報とタグＩＤとの対応を管理する基材テープロールテーブルを概念的に表す図である。
【図１０】工業製品に適用する変形例において、データベースに格納されている組立部品の画像ファイルの格納態様を概念的に表す図である。
【図１１】工業製品に適用する変形例において、画像合成処理により合成された合成画像の一例を表示部に表した図である。
【図１２】光学的マークにより無線タグの配置を検出する変形例の画像処理装置の全体概略構造を表す斜視図である。
【図１３】光学的マークを用いて各食材等の画像データを取得する変形例に置いて制御撮像部のＣＰＵが行う制御手順を表すフローチャートである。
【符号の説明】
【０１１９】
１                画像処理装置
２                制御撮像部
３                アンテナトレイユニット（載置手段）
４                ケーブル
５                すきやき鍋
６                完成品載置領域
７                タグ載置領域
７ａ              タグ検出領域
８                アンテナ（無線通信手段）
９                載置プレート
１０              データベース
２１              ＣＰＵ
２２              メモリ
２３              操作部
２３ａ            シャッターボタン
２４              表示部
２４ａ            完成品表示領域（他方側領域）
２４ｂ            材料表示領域（一方側領域）
２４ｃ            部品表示領域（一方側領域）
２５              ネットワーク通信制御部
２６              高周波回路（無線通信手段）
２７              撮像部（撮像手段）
３１４            アンテナ切換スイッチ部
４０１            画像処理装置
４０２            制御撮像部
４０３            アンテナトレイユニット
４１１ａ〜ｅ      識別マーク（識別子）
Ｔ                無線タグ
Ｔo               無線タグ回路素子
【図１】
0004544429.tif 000002
【図２】
0004544429.tif 000003
【図３】
0004544429.tif 000004
【図４】
0004544429.tif 000005
【図５】
0004544429.tif 000006
【図６】
0004544429.tif 000007
【図７】
0004544429.tif 000008
【図８】
0004544429.tif 000009
【図９】
0004544429.tif 000010
【図１０】
0004544429.tif 000011
【図１１】
0004544429.tif 000012
【図１２】
0004544429.tif 000013
【図１３】
0004544429.tif 000014